(57)【要約】【課題】蓋部の開閉時における作業の安全性を向上させることが可能な開閉装置を提供する。【解決手段】開閉装置であって、突出部と、前記開閉装置の筐体に固定された回転支点と、を有する蓋部と、前記回転支点を中心とする円弧状の溝であって、前記突出部が嵌挿される溝を有するステー部と、を備える、開閉装置。前記蓋部は、前記突出部が前記回転支点を中心とする円弧状の溝に沿って移動されることにより、前記回転支点を中心として回転されて開閉される。【選択図】図１
2015185128.tif 000002
【特許請求の範囲】
【請求項１】
開閉装置であって、
突出部と、前記開閉装置の筐体に固定された回転支点と、を有する蓋部と、
前記回転支点を中心とする円弧状の溝であって、前記突出部が嵌挿される溝を有するステー部と、
を備える、開閉装置。
【請求項２】
前記蓋部は、閉状態から第１の方向に移動することにより開状態になり、
前記回転支点と前記突出部とを結ぶ直線よりも、前記第１の方向と反対方向にある前記ステー部の縁部は、前記蓋部または前記筐体との重なりから露出しない、請求項１に記載の開閉装置。
【請求項３】
前記ステー部の前記溝を有する本体部は、前記筐体または前記蓋部との重なりから露出しない、請求項１または２に記載の開閉装置。
【請求項４】
前記ステー部は、さらに第１の孔および第２の孔を備え、
前記筐体は、さらに前記第１の孔に嵌挿される第１の突出部および前記第２の孔に嵌挿される第２の突出部を備え、
前記第１の孔の大きさは、前記第１の突出部の大きさに相当し、
前記第２の孔の幅の大きさは、前記第２の突出部の幅の大きさに相当し、前記第２の孔は、前記第１の孔を中心とする円周方向に所定の長さを有する、請求項１〜３のいずれか１項に記載の開閉装置。
【請求項５】
前記溝の少なくとも一か所は、前記回転支点側に向かって幅が広がっている、請求項４に記載の開閉装置。
【請求項６】
前記溝の少なくとも一か所は、前記第１の孔を中心とする前記ステー部の重力による回転方向と反対方向に幅が広がっている、請求項４または５に記載の開閉装置。
【請求項７】
前記蓋部は、閉状態から第１の方向に移動することにより開状態になり、
前記溝の少なくとも一か所の広がりは、前記第１の方向と反対方向に折れ曲がっている、請求項５または６に記載の開閉装置。
【請求項８】
前記ステー部は、さらに前記筐体との重なりから露出する突出部を備える、請求項５〜７のいずれか１項に記載の開閉装置。
【請求項９】
前記蓋部は、閉状態から第１の方向に移動することにより開状態になり、
前記回転支点と前記突出部とを結ぶ直線よりも、前記第１の方向と反対方向にある前記蓋部の縁部が、前記筐体との重なりから露出しない、請求項１〜８のいずれか１項に記載の開閉装置。
【発明の詳細な説明】
【技術分野】
【０００１】
本発明は、開閉装置に関する。
【背景技術】
【０００２】
近年、顧客が紙幣等の入出金取引を行うＡＴＭ（Automated  Teller  Machine）等の自動取引装置が一般に普及し、様々な場所に設置されるようになっている。当該自動取引装置は、入出金取引に係る紙幣等を収納し、当該紙幣等の補充または取り出しの際に収納蓋が開閉される開閉装置としても機能する。
【０００３】
例えば、特許文献１では、蓋部と本体部が回動部で連結され、蓋体部にステーの長手方向の一方の端部が固定され、ステーの他方の端部に備えられた支持部が本体部に備えられる溝板に沿って移動することにより、蓋体部が開閉する装置が開示されている。
【先行技術文献】
【特許文献】
【０００４】
【特許文献１】特開２０１３−２０４３５８号公報
【発明の概要】
【発明が解決しようとする課題】
【０００５】
しかし、従来の開閉装置の構成では、開閉動作の際に、蓋部、ステー及び本体部で囲まれる隙間が生じ、当該隙間に作業者の手または指等が挟まれる可能性があるという問題があった。
【０００６】
そこで、本発明は、上記問題に鑑みてなされたものであり、本発明の目的とするところは、蓋部の開閉時における作業の安全性を向上させることが可能な、新規かつ改良された開閉装置を提供することにある。
【課題を解決するための手段】
【０００７】
上記課題を解決するために、本発明のある観点によれば、開閉装置であって、突出部と、前記開閉装置の筐体に固定された回転支点と、を有する蓋部と、前記回転支点を中心とする円弧状の溝であって、前記突出部が嵌挿される溝を有するステー部と、を備える、開閉装置が提供される。
【０００８】
また、前記蓋部は、閉状態から第１の方向に移動することにより開状態になり、前記回転支点と前記突出部とを結ぶ直線よりも、前記第１の方向と反対方向にある前記ステー部の縁部は、前記蓋部または前記筐体との重なりから露出しなくてもよい。
【０００９】
また、前記ステー部の前記溝を有する本体部は、前記筐体との重なりから露出しなくてもよい。
【００１０】
また、前記ステー部は、さらに第１の孔および第２の孔を備え、前記筐体は、さらに前記第１の孔に嵌挿される第１の突出部および前記第２の孔に嵌挿される第２の突出部を備え、前記第１の孔の大きさは、前記第１の突出部の大きさに相当し、前記第２の孔の幅の大きさは、前記第２の突出部の幅の大きさに相当し、前記第２の孔は、前記第１の孔を中心とする円周方向に所定の長さを有してもよい。
【００１１】
また、前記溝の少なくとも一か所は、前記回転支点側に向かって幅が広がっていてもよい。
【００１２】
また、前記溝の少なくとも一か所は、前記第１の孔を中心とする前記ステー部の重力による回転方向と反対方向に幅が広がっていてもよい。
【００１３】
また、前記蓋部は、閉状態から第１の方向に移動することにより開状態になり、前記溝の少なくとも一か所の広がりは、前記第１の方向と反対方向に折れ曲がっていてもよい。
【００１４】
また、前記ステー部は、さらに前記筐体との重なりから露出する突出部を備えてもよい。
【００１５】
また、前記蓋部は、閉状態から第１の方向に移動することにより開状態になり、前記回転支点と前記突出部とを結ぶ直線よりも、前記第１の方向と反対方向にある前記蓋部の縁部が、前記筐体との重なりから露出しなくてもよい。
【発明の効果】
【００１６】
以上説明したように本発明によれば、蓋部の開閉時における作業の安全性を向上させることが可能な開閉装置が提供される。
【図面の簡単な説明】
【００１７】
【図１】本発明の一実施形態に係る開閉装置の斜視図である。
【図２】本実施形態に係る開閉装置の開閉動作の流れを示す図である。
【図３】従来の自動取引装置の構成を示す断面図である。
【図４】本発明の一実施形態に係る自動取引装置の構成を示す断面図である。
【図５】本実施形態に係る自動取引装置の閉状態の例を示す断面図である。
【図６】本実施形態に係る自動取引装置の操作カバーの回転動作の例を示す断面図である。
【図７】本実施形態に係る自動取引装置のステーの回転動作の例を示す断面図である。
【図８】図８は、本実施形態に係る自動取引装置の操作カバーの第１の角度における支持状態の例を示す断面図である。
【図９】本実施形態に係る自動取引装置の操作カバーの回転動作の他の例を示す断面図である。
【図１０】本実施形態に係る自動取引装置のステーの回転動作の他の例を示す断面図である。
【図１１】本実施形態に係る自動取引装置の操作カバーの第２の角度における支持状態の例を示す断面図である
【図１２】本実施形態の変形例に係る自動取引装置の構成を示す断面図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．開閉装置の概要＞
まず、図１および図２を参照して、本発明の一実施形態に係る開閉装置の概要を説明する。図１は、本発明の一実施形態に係る開閉装置の斜視図であり、図２は、本発明の一実施形態に係る開閉装置の開閉動作の流れを示す図である。
【００２０】
本発明の一実施形態に係る開閉装置は、顧客が紙幣および硬貨の入出金取引を行う自動取引装置１である。図１に示したように、自動取引装置１は、筐体１０、操作カバー２０、収納部３０、入出金口４０、パネル５０から構成され得る。筐体１０は、操作カバー２０および収納部３０を収める、自動取引装置１の外装である。操作カバー２０は、収納部の蓋としての機能を果たし、収納された紙幣を取り出す際に開閉される。また、操作カバー２０は、収納部３０に対する紙幣等の入出金処理を行う入出金口４０を有する。収納部３０は、入出金取引において用いられる紙幣または硬貨等を収納する。また、筐体１０には、カード挿入口５２および表示部５４を有するパネル５０が設けられる。このため、顧客はカード挿入口５２に取引用のカードを挿入し、取引内容が表示される表示部５４を参照しながら入出金口４０を介して紙幣等の入出金取引を行い得る。また、作業者は、操作カバー２０を開閉し、収納部３０に収納される紙幣等の補充等を行い得る。また、操作カバー２０は、所定の角度で支持される。このため、作業者は、操作カバーを所定の角度で支持された状態で作業を行うことが可能である。
【００２１】
さらに、図２を参照して、操作カバー２０の開閉動作について説明する。図２は、本発明の一実施形態に係る自動取引装置１の構成および自動取引装置１の開閉動作を示す断面図である。
【００２２】
まず、顧客の取引時においては、例えば、図２の左図に示したように、操作カバー２０は閉じられた状態であり得る。次に、紙幣の補充等の作業時においては、操作カバー２０は開蓋され、収納部３０が引き出され得る。この際、操作カバー２０は、第１の角度、例えば閉状態から４５度の位置で支持され、作業者は４５度だけ開いた状態で収納部３０を引き出す作業等を行い得る。さらに、操作カバー２０は、第２の角度、例えば閉状態から９０度の位置まで開蓋され、作業者は収納部３０に内蔵される収納箱３２を取り出し得る。なお、操作カバー２０は、第２の角度で支持され得る。
【００２３】
ここで、従来の操作カバーの開閉動作は、操作カバーならびに溝が直線状に設けられた溝板および操作カバーと溝板をつなぐ可動部材を有するステーからなる構成により実現されていた。例えば、図３を参照して、従来の自動取引装置の構成について説明する。図３は、従来の自動取引装置の構成を示す断面図である。
【００２４】
例えば、図３に示したように、従来の自動取引装置の筐体１０には、操作カバー７０、ステーの可動部材８０および溝板９０が備えられ、可動部材８０の突出部８４が溝板９０の溝９２に嵌挿される。そして、操作カバー７０が回転されて、操作カバー７０に連結された連結部８２が引き上げられ、または押し下げられると、可動部材８０が引き上げられ、または押し下げられ、突出部８４が溝９２に沿って直線的に移動されて操作カバー７０が開閉される。このように、操作カバー７０の回転運動を溝板９０上の直線運動に変換するために、溝板９０とは別個に可動部材８０が用いられていた。
【００２５】
しかし、従来の構成では、操作カバー７０の開状態において、操作カバー７０、可動部材８０および筐体１０との間に隙間、例えば図３に示されるような隙間Ｓが生じ、当該隙間に作業者の手等が挟まれる場合があった。そこで、本発明では、可動部材８０を用いることなく操作カバー７０を開閉させることが可能な自動取引装置１を提供する。以下、自動取引装置１の構成および動作について順次説明する。
【００２６】
＜２．本発明の一実施形態＞
以上、本発明の一実施形態に係る自動取引装置１の概要について説明した。次に、本発明の一実施形態に係る自動取引装置１の詳細について説明する。
【００２７】
［２−１．自動取引装置の構成］
まず、図４を参照して、本発明の一実施形態に係る自動取引装置１の構成について説明する。図４は、本発明の一実施形態に係る自動取引装置１の構成を示す断面図である。
【００２８】
図４に示したように、自動取引装置１は、筐体１０、操作カバー２０およびステー１００を備える。さらに、操作カバー２０は、回転支点２２および突出部２４を有し、ステー１００は、溝１０２、孔１０４および１０６を有する本体部ならびにバー１０８を有し、筐体１０は、突出部１２および１４を有する。
【００２９】
操作カバー２０は、自動取引装置１の蓋として開閉される。具体的には、操作カバー２０は、所定の厚さを有し、回転支点２２により回転可能なように筐体１０に取り付けられ、自動取引装置１の背面から正面に向かう方向に筐体１０の内側から外側へ延設される。さらに、操作カバー２０の突出部２４は、ステー１００に回転支点２２を中心とする円弧状に形成された溝１０２に嵌挿される。なお、操作カバー２０は、ステー１００よりも筐体１０の外側に配置される。
【００３０】
例えば、図４に示したように、操作カバー２０の側面は、くの字形の形状であり得、自動取引装置１の背面から正面に向かう方向に筐体１０の内側から外側へ延設される先端部分と異なる先端部分に回転支点２２が設けられ得、くの字形の角部分に突出部２４が設けられ得る。
【００３１】
このため、操作カバー２０は、回転支点２２を中心に回転され、突出部２４が円弧状の溝１０２に沿って移動されることにより、所定の角度の範囲で開閉される。なお、操作カバー２０の自動取引装置１の背面から正面に向かう方向に筐体１０の内側から外側へ延設される部分には、入出金口４０が設けられ得るため、操作カバー２０は、入出金口４０の配置に適した所定の厚さを有し得る。また、操作カバー２０は、突出部２４が図４に示される溝１０２の筐体１０の内側方向の先端に位置する場合に閉状態となり、閉状態において操作カバー２０が回転を開始する方向（以下、回転開始方向とも称する。）Ｒ１に移動することにより開状態になる。さらに、突出部２４が溝１０２の他方の先端に到達すると全開状態となる。
【００３２】
回転支点２２は、操作カバー２０を回転可能なように筐体１０に取り付ける。具体的には、回転支点２２は、操作カバー２０の水平方向および鉛直方向の変位を拘束し、操作カバー２０の回転を可能にする支点である。
【００３３】
突出部２４は、ステー１００の溝１０２に嵌挿され、操作カバー２０とステー１００とを連結させる。具体的には、突出部２４は、操作カバー２０に固定され、操作カバー２０から筐体１０の内側に向かって突出されて、ステー１００の溝１０２に嵌挿される。なお、突出部２４は、操作カバー２０よりもステー１００が筐体１０の外側に配置される場合、筐体１０の外側に向かって突出されてもよい。また、突出部２４の長さは、図４に示されるようなステー１００の奥行方向の幅よりも長いことが望ましい。
【００３４】
また、ステー１００は、操作カバー２０を支持する。具体的には、ステー１００は、孔１０４に筐体１０の突出部１２が嵌挿され、孔１０６に筐体１０の突出部１４が嵌挿されて筐体１０に取り付けられる。
【００３５】
例えば、図４に示したように、ステー１００は、溝１０２、孔１０４および孔１０６を有するＬ字形の形状の本体部とバー１０８とで構成され得、孔１０４に突出部１２が嵌挿され得、孔１０６に突出部１４が嵌挿され得る。
【００３６】
このため、操作カバー２０の突出部２４が筐体１０に取り付けられたステー１００の溝１０２に嵌挿されることにより、ステー１００は操作カバー２０を支持し得る。
【００３７】
孔１０４には、突出部１２が嵌挿され、孔１０６には、突出部１４が嵌挿される。具体的には、孔１０４の大きさは、突出部１２の大きさに相当し、孔１０６の幅の大きさは、突出部１４の幅の大きさに相当し、孔１０６は、孔１０４を中心とする円周方向に所定の長さを有する。そして、孔１０４には突出部１２が嵌挿され、孔１０６には突出部１４が嵌挿される。
【００３８】
例えば、図４に示したように、孔１０４は、ステー１００のＬ字形の本体部の短辺方向の先端部分に設けられ得、孔１０６は、長辺方向の先端部分に設けられ得る。さらに、孔１０４の大きさは、突出部１２の大きさに相当するため、孔１０４は固定され得る。また、孔１０６の幅は突出部１４の幅に相当するが、孔１０６は、孔１０４を中心とする円周方向に所定の長さを有するため、孔１０６は突出部１４に対して孔１０６の長さの範囲で移動され得る。
【００３９】
このため、ステー１００は、筐体１０に取り付けられ、孔１０６の、孔１０４を中心とする円周方向の長さに応じた範囲で、孔１０４を中心として回転され得る。
【００４０】
溝１０２は、ステー１００の本体部に形成される。具体的には、溝１０２は、突出部２４の大きさに相当する幅を有し、突出部２４を通る、回転支点２２を中心とする円弧状の軌道に沿って形成される。例えば、図４に示したように、溝１０２は、ステー１００のＬ字形の本体部の長辺部分に形成され得、操作カバー２０とステー１００とが筐体１０に取り付けられた状態における突出部２４の位置を通る、回転支点２２を中心とした円弧状の軌道に沿って形成され得る。そして、溝１０２には、突出部２４が嵌挿され得る。
【００４１】
このため、操作カバー２０に設けられた突出部２４は、操作カバー２０の回転移動により、溝１０２に沿って移動され得る。
【００４２】
さらに、溝１０２の少なくとも一か所は、回転支点２２側に向かって幅が広がっている。具体的には、溝１０２の少なくとも一か所は、回転支点２２側に向かって、突出部２４の幅に相当する長さで広がっている。例えば、図４に示したように、溝１０２の円弧状の部分の長さの半分程度の位置において、溝１０２の幅が回転支点２２側に向かって広がり、空間Ａが形成され得る。なお、広がる幅は、突出部２４の幅よりも短くてもよく、突出部２４の幅よりも長くてもよい。また、空間Ａの形状は、ステー１００が重力による回転方向に回転された後に当該回転が停止された状態における、回転支点２２を中心とした円弧状の軌道に沿って形成され得る。
【００４３】
また、溝１０２の少なくとも一か所は、孔１０４を中心とするステー１００の重力による回転方向と反対方向に幅が広がっている。例えば、図４に示したように、操作カバー２０の回転開始方向Ｒ１の方向の溝１０２の円弧状の部分の先端において、ステー１００の重力による回転方向Ｒ２と反対方向に溝１０２の幅が広がり、空間Ｂが形成され得る。なお、空間Ｂにおける、溝１０２の円弧状の部分とつながる回転支点２２側の縁部は、ステー１００の重力による回転前の状態において、水平に近い形状で形成され得る。また、空間Ｂのステー１００の重力による回転方向Ｒ２の長さは、図１０に示したように、突出部２４の幅よりも長くあり得る。なお、空間Ｂのステー１００の重力による回転方向Ｒ２の長さは、突出部２４の幅に相当する長さであってもよい。
【００４４】
そして、溝１０２の上述の幅の広がりは、操作カバー２０の回転開始方向と反対方向に折れ曲がっている。例えば、図４に示したように、溝１０２の空間Ａは、回転支点２２側に向かって広がった上で、さらに操作カバー２０の回転開始方向Ｒ１と反対方向に折れ曲がり得る。また、溝１０２の空間Ｂは、ステー１００の重力による回転方向Ｒ２と反対方向に向かって広がった上で、さらに操作カバー２０の回転開始方向Ｒ１と反対方向に折れ曲がり得る。
【００４５】
バー１０８は、筐体１０の外側に突出されるように形成される。具体的には、バー１０８は、ステー１００の本体部と連結され、ステー１００が筐体に取り付けられた状態で、筐体１０から露出されるように形成される。例えば、バー１０８は、ステー１００の本体部のＬ字形の角付近に、本体部と一体的に形成され得る。また、バー１０８の上辺は、本体部との連結部分からバー１０８の先端部分にかけて鉛直方向に傾斜するように形成され得る。なお、バー１０８は、孔１０４から離れた位置に形成されることが望ましい。
【００４６】
筐体１０は、操作カバー２０およびステー１００を収める、自動取引装置１の外装である。なお、筐体１０は、操作カバー２０およびステー１００以外の内部装置等を格納し得る。
【００４７】
突出部１２および１４は、筐体１０に固定されて形成される。具体的には、突出部１２および１４は、筐体１０の外側に向かって突出され、突出部１２はステー１００の孔１０４に嵌挿され、突出部１４はステー１００の孔１０６に嵌挿される。例えば、図４に示したように、突出部１２および１４は、ステー１００の孔１０４および１０６の位置に対応した筐体１０の位置に形成され得る。
【００４８】
［２−２．自動取引装置の動作］
次に、本実施形態に係る自動取引装置１の開閉動作について説明する。まず、図５〜図８を参照して、操作カバー２０が閉状態から開蓋され、第１の角度で支持される例を説明する。図５は、本実施形態に係る自動取引装置１の閉状態の例を示す断面図である。図６は、本実施形態に係る自動取引装置１の操作カバー２０の回転動作の例を示す断面図である。図７は、本実施形態に係る自動取引装置１のステー１００の回転動作の例を示す断面図である。図８は、本実施形態に係る自動取引装置１の操作カバー２０の第１の角度における支持状態の例を示す断面図である。
【００４９】
まず、初期状態では、操作カバー２０は閉状態である。例えば、図５に示したように、初期状態では、突出部２４は、溝１０２の回転開始方向Ｒ１と反対方向の先端に位置し得、突出部１４は、孔１０６の下端に位置し得る。このため、操作カバー２０の自動取引装置１の背面から正面に向かう方向に筐体１０の内側から外側へ延設される部分は、筐体１０と接した状態または重なった状態であり得る。なお、以下では、突出部１４が孔１０６の下端にある状態をステー１００の初期状態と称する。
【００５０】
次に、操作カバー２０が回転支点２２を中心に回転されて開蓋される。例えば、操作カバー２０に回転開始方向Ｒ１の回転力が加えられると、操作カバー２０が回転開始方向Ｒ１に回転される。それと共に、突出部２４は、図５で示したような、初期状態において位置していた溝１０２の先端から、溝１０２の形状に沿って、図６で示すような空間Ａの手前まで移動され得る。このため、操作カバー２０は閉状態から開状態に遷移する。なお、ステー１００の位置は初期状態から変化しない。
【００５１】
次に、操作カバー２０が第１の角度よりも大きい角度まで回転されると、ステー１００が回転される。例えば、図７に示したように、操作カバー２０が回転されて、突出部２４が溝１０２の幅の回転支点２２側に広がる空間Ａの位置まで移動されると、ステー１００が重力による回転方向Ｒ２に回転され、孔１０６の上端が突出部１４に移動されてステー１００の回転が停止される。それと共に、溝１０２の空間Ａの回転支点２２側が重力による回転方向Ｒ２に移動され、突出部２４に当たる。
【００５２】
次に、操作カバー２０が第１の角度で支持される。例えば、突出部２４が溝１０２の回転支点２２側に広がる空間Ａの回転支点２２側に位置する状態で、作業者が操作カバー２０から手を離す等して操作カバー２０に対する回転開始方向の回転力が失われると、操作カバー２０は、重力により回転開始方向Ｒ１と反対方向に回転される。それと共に、突出部２４は、溝１０２の空間Ａの回転開始方向Ｒ１と反対方向に広がる位置に移動されて、操作カバー２０の回転が停止され、操作カバー２０が支持される。
【００５３】
また、操作カバー２０およびバー１０８に対する操作により、操作カバー２０は、第１の角度における支持状態から閉状態に遷移される。例えば、図８に示したような操作カバー２０の支持状態において、作業者が操作カバー２０を持ち上げる等して操作カバー２０に回転開始方向Ｒ１の回転力が加えられると、突出部２４は、図７に示される突出部２４の位置に移動される。さらに、作業者がバー１０８を押下する等してバー１０８に鉛直方向の力が加えられると、ステー１００は、重力による回転方向Ｒ２と反対方向に回転され、孔１０６の下端が突出部１４に移動されることにより、当該回転が停止される。それと共に、突出部２４は、空間Ａから鉛直方向に、溝１０２の回転支点２２を中心とした円弧状の位置まで移動される。そして、作業者が操作カバー２０を離す等して操作カバー２０が回転開始方向Ｒ１と反対方向に回転されると、突出部２４は、溝１０２の回転開始方向Ｒ１と反対方向の先端まで移動され、操作カバー２０は閉状態となる。
【００５４】
このように、溝１０２の少なくとも一か所が、回転支点２２側に向かって幅が広がっている。このため、ステー１００の回転動作が誘発され、突出部２４が溝１０２の幅の広がりに引っ掛かることにより、操作カバー２０は当該広がりの位置における角度で支持され得る。さらに、溝１０２の少なくとも一か所の広がりは、回転開始方向と反対方向に折れ曲がっている。このため、バー１０８が押下されるのみでは操作カバー２０の支持状態が解除されず、作業者等が誤ってバー１０８を押下した場合に、操作カバー２０が閉蓋されて手等が操作カバー２０と筐体１０との間等に挟まれるといったことを防止することが可能となる。
【００５５】
続いて、図９〜図１１を参照して、操作カバー２０が全開状態まで開蓋され、第２の角度で支持される例を説明する。図９は、本実施形態に係る自動取引装置１の操作カバー２０の回転動作の他の例を示す断面図である。図１０は、本実施形態に係る自動取引装置１のステー１００の回転動作の他の例を示す断面図である。図１１は、本実施形態に係る自動取引装置１の操作カバー２０の第２の角度における支持状態の例を示す断面図である。
【００５６】
まず、図８に示したような、操作カバー２０が第１の角度で支持された状態において、当該支持状態が解除された後、操作カバー２０が全開状態になるまで開蓋される。例えば、上述したように操作カバー２０の第１の角度における支持状態が解除された後、操作カバー２０が回転開始方向Ｒ１に回転され、突出部２４は、図９に示したように、初期状態と異なる、溝１０２の円弧状の部分の回転開始方向Ｒ１の先端まで移動されて、操作カバー２０は全開状態に遷移する。
【００５７】
さらに、操作カバー２０は、回転支点２２と突出部２４とを結ぶ直線よりも、回転開始方向と反対方向にある操作カバー２０の縁部が、筐体１０との重なりから露出しない。例えば、図９に示したように、操作カバー２０は、全開状態において、回転支点２２と突出部２４とを結ぶ直線Ｌよりも、回転開始方向Ｒ１と反対方向の操作カバー２０の縁部が筐体１０との重なりから露出しないような形状を有する。
【００５８】
このため、上述の操作カバー２０の縁部と筐体１０とで閉じられた領域が生じ得ないことにより、作業者の手等が当該閉じられた領域に挟まれることを防止し、作業の安全性を向上させることが可能となる。
【００５９】
加えて、回転支点２２と突出部２４とを結ぶ直線よりも、回転開始方向と反対方向にあるステー１００の縁部は、操作カバー２０または筐体１０との重なりから露出しない。例えば、ステー１００は、操作カバー２０のどの角度における状態であっても、図９に示したような、操作カバー２０の回転支点２２と突出部２４とを結ぶ直線Ｌよりも、回転開始方向Ｒ１と反対にあるステー１００の縁部が筐体１０または操作カバー２０と重なるように形成されて、筐体１０に取り付けられ得る。
【００６０】
このため、ステー１００と筐体１０とで閉じられた領域、およびステー１００と筐体１０と操作カバー２０とで閉じられた領域が生じ得ないことにより、作業者の手等が当該閉じられた領域に挟まれることを防止し、作業の安全性をより向上させることが可能となる。
【００６１】
次に、操作カバー２０が全開状態にされると、ステー１００が回転される。例えば、図１０に示したように、操作カバー２０が回転されて、突出部２４が溝１０２のステー１００の重力による回転方向と反対方向に広がる空間Ｂの位置まで移動されると、ステー１００が重力による回転方向Ｒ２に回転され、孔１０６が孔１０６の長さの途中まで移動される。それと共に、突出部２４は、空間Ｂのステー１００の重力による回転方向Ｒ２の突き当りまで移動される。なお、空間Ｂにおける、溝１０２の円弧状の部分とつながる回転支点２２側の縁部は、ステー１００の重力による回転前の状態において、水平に近い形状で形成されているため、ステー１００が回転されて、当該線分がステー１００の重力による回転方向Ｒ２に傾斜されることにより、突出部２４が滑らかに移動され得る。
【００６２】
次に、操作カバー２０が第２の角度で支持される。例えば、突出部２４が溝１０２の空間Ｂのステー１００の重力による回転方向Ｒ２の突き当りに位置する状態で、作業者が操作カバー２０から手を離す等して操作カバー２０を支える力が失われると、操作カバー２０は、重力により回転開始方向Ｒ１と反対方向に回転される。それと共に、突出部２４は、溝１０２の空間Ｂの回転開始方向Ｒ１と反対方向に広がる位置に移動される。
【００６３】
また、操作カバー２０およびバー１０８に対する操作により、操作カバー２０は、第２の角度における支持状態から閉状態に遷移される。例えば、図１１に示したような操作カバー２０の支持状態において、作業者が操作カバー２０を持ち上げる等して操作カバー２０に回転開始方向Ｒ１の回転力が加えられると、突出部２４は、回転支点２２を中心とした円弧の軌道に沿って空間Ｂの突き当りまで移動される。さらに、作業者がバー１０８を押下する等してバー１０８に鉛直方向の力が加えられると、ステー１００は、ステー１００の重力による回転方向Ｒ２と反対方向に回転され、孔１０６の下端が突出部１４に移動されることにより、当該回転が停止される。それと共に、突出部２４は、空間Ｂの手前である、溝１０２の円弧状の部分の回転開始方向Ｒ１の先端の位置まで移動される。そして、作業者が操作カバー２０を離す等して操作カバー２０が回転開始方向Ｒ１と反対方向に回転されると、突出部２４は、溝１０２の回転開始方向Ｒ１と反対方向の先端まで移動され、操作カバー２０は閉状態となる。
【００６４】
このように、溝１０２の少なくとも一か所は、孔１０４を中心とするステー１００の重力による回転方向と反対方向に幅が広がっている。このため、ステー１００の回転動作が誘発され、突出部２４が溝１０２の幅の広がりに引っ掛かることにより、操作カバー２０は当該広がりの位置における角度で支持され得る。さらに、溝１０２の少なくとも一か所の広がりは、回転開始方向と反対方向に折れ曲がっている。このため、バー１０８が押下されるのみでは操作カバー２０の支持状態が解除されず、作業者等が誤ってバー１０８を押下した場合に、操作カバー２０が閉蓋されて手等が操作カバー２０と筐体１０との間等に挟まれるといったことを防止することが可能となる。
【００６５】
以上、本実施形態に係る自動取引装置１の開閉動作について説明した。なお、ステー１００の溝１０２を有する本体部は、操作カバー２０のどの角度における状態であっても、筐体１０または操作カバー２０との重なりから露出しない。例えば、図５〜図１１の各々に示したように、溝１０２、孔１０４および１０６を有する本体部は、筐体１０の内部に取り付けられ、バー１０８のみが筐体１０から露出され得る。
【００６６】
このため、ステー１００と、筐体１０または操作カバー２０との間に閉じられた領域が生じ得ないことにより、作業者の手等が当該閉じられた領域に挟まれること、および筐体１０から露出したステー１００の本体に作業者の手等が当たることを防止し、作業の安全性を向上させることが可能となる。
【００６７】
このように、本発明の一実施形態に係る自動取引装置１は、突出部２４と、筐体１０に取り付けられた回転支点２２と、を有する操作カバー２０と、回転支点２２を中心とする円弧状の溝であって、突出部２４が嵌挿される溝１０２を有するステー１００と、を備える。このため、従来の自動取引装置の可動部材を設けることなく、操作カバー２０の開閉を行うことが可能となり、自動取引装置についての操作の安全性を向上させ得る。
【００６８】
［２−３．変形例］
以上、本発明の一実施形態について説明した。なお、本実施形態は、上述の例に限定されない。以下に、本実施形態の変形例について説明する。
【００６９】
本実施形態の変形例として、操作カバーの回転支点を中心とする円弧状の溝が操作カバーに設けられ、当該溝に嵌挿入される突出部がステーに設けられてもよい。具体的には、図１２を参照して説明する。図１２は、本実施形態の変形例に係る自動取引装置１の構成を示す断面図である。なお、上述の構成または動作と実質的に同一の構成または動作についての説明は省略する。
【００７０】
図１２に示したように、筐体１０は、突出部１２および１４を有し、操作カバー２０は、回転支点２２および溝２６を有し、ステー１００は、孔１０４および１０６、バー１０８ならびに突出部１１０を有する。
【００７１】
操作カバー２０は、回転支点２２を中心に回転され、突出部１１０が嵌挿される溝２６の位置が移動されることにより、所定の角度の範囲で開閉される。具体的には、操作カバー２０は、突出部１１０が嵌挿される溝２６の位置が溝２６の回転開始方向の先端に位置する場合に、閉状態となり、操作カバー２０が回転開始方向に回転され、突出部１１０が嵌挿される溝２６の位置が回転開始方向と反対方向に移動されると開状態となる。
【００７２】
溝２６は、操作カバー２０に、円弧状に形成される。具体的には、溝２６は、突出部１１０の大きさに相当する幅を有し、回転支点２２を中心とする円弧状に形成される。例えば、図１２に示したように、溝２６は、くの字形の操作カバー２０の自動取引装置１の背面から正面に向かう方向に筐体１０の内側から外側へ延設される部分に形成され得、溝２６には、突出部１１０が嵌挿され得る。
【００７３】
突出部１１０は、操作カバー２０の溝２６に嵌挿され、操作カバー２０とステー１００とを連結させる。具体的には、突出部１１０は、ステー１００に固定され、ステー１００から筐体１０の外側に向かって突出されて、操作カバー２０の溝２６に嵌挿される。なお、突出部１１０の長さは、図１２に示されるような操作カバー２０の奥行方向の幅よりも長いことが望ましい。
【００７４】
このように、本実施形態の変形例に係る自動取引装置１は、操作カバー２０に、操作カバー２０の回転支点２２を中心とする円弧状の溝２６が設けられ、ステー１００に、溝２６に嵌挿される突出部１１０が設けられる。このため、ステー１００の円弧状の溝が不要となり、ステー１００を縮小させることが可能となる。
【００７５】
なお、溝２６の少なくとも一か所は、回転支点２２側に向かって幅が広がっている。例えば、図１２に示したような空間Ｃのように溝２６の幅が回転支点２２側に広がり得る。また、溝２６の少なくとも一か所は、孔１０４を中心とするステー１００の重力による回転方向と反対方向に幅が広がっている。例えば、図１２に示したような空間Ｄのように溝２６の幅がステー１００の重力による回転方向Ｒ２と反対方向に広がり得る。さらに、溝２６の上述の幅の広がりは、操作カバー２０の回転開始方向と反対方向に折れ曲がっている。例えば、図１２に示したような空間ＣおよびＤのように、溝２６の幅の広がりが回転開始方向Ｒ１と反対方向に折れ曲がって形成され得る。なお、上記の各構成については、上述の構成と実質的に同一であるため、説明を省略する。
【００７６】
＜３．むすび＞
以上、本発明の一実施形態によれば、従来の自動取引装置の可動部材を設けることなく、操作カバー２０の開閉を行うことが可能となり、自動取引装置についての操作の安全性を向上させ得る。
【００７７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７８】
１      自動取引装置
１０    筐体
１２、１４  突出部
２０    操作カバー
２２    回転支点
２４    突出部
２６    溝
１００  ステー
１０２  溝
１０４、１０６  孔
１０８  バー
１１０  突出部
【図１】
2015185128.tif 000003
【図２】
2015185128.tif 000004
【図３】
2015185128.tif 000005
【図４】
2015185128.tif 000006
【図５】
2015185128.tif 000007
【図６】
2015185128.tif 000008
【図７】
2015185128.tif 000009
【図８】
2015185128.tif 000010
【図９】
2015185128.tif 000011
【図１０】
2015185128.tif 000012
【図１１】
2015185128.tif 000013
【図１２】
2015185128.tif 000014